(57)【特許請求の範囲】
【請求項１】
メッセージ投稿サイトの投稿メッセージを表示画面に表示可能な表示装置であって、
前記投稿メッセージの時系列毎の複数の表示領域を、前記表示画面の第１の方向に並べて表示するとともに、当該複数の表示領域の各々に対し、対応する時系列の前記投稿メッセージを表示するメッセージ表示手段と、
前記複数の表示領域のうちの、任意の一の表示領域に対する、前記第１の方向とは異なる方向である第２の方向への移動操作が行われた場合、当該一の表示領域に表示する投稿メッセージを、順次変更する表示変更手段と
を備えており、
前記表示装置は、携帯電話機またはスマートフォンであり、
前記メッセージ表示手段は、
前記複数の表示領域の各々に対し、対応する時系列の前記投稿メッセージを１件ずつ表示し、
前記表示変更手段は、
前記複数の表示領域のうちの、任意の一の表示領域に対する前記第２の方向への移動操作が行われた場合、当該一の表示領域に表示する投稿メッセージを、１件ずつ順次変更する
ことを特徴とする表示装置。
【請求項２】
前記表示変更手段は、
前記複数の表示領域が前記表示画面に表示されているときに、前記表示画面に対する前記第１の方向への移動操作が行われた場合、当該複数の表示領域の表示位置を前記第１の方向へ移動させることにより、前記表示画面に表示する表示領域を順次変更する
ことを特徴とする請求項１に記載の表示装置。
【請求項３】
メッセージ投稿サイトの投稿メッセージを表示画面に表示可能な表示装置であって、
前記投稿メッセージの時系列毎の複数の表示領域を、前記表示画面の第１の方向に並べて表示するとともに、当該複数の表示領域の各々に対し、対応する時系列の前記投稿メッセージを表示するメッセージ表示手段と、
前記複数の表示領域のうちの、任意の一の表示領域に対する、前記第１の方向とは異なる方向である第２の方向への移動操作が行われた場合、当該一の表示領域に表示する投稿メッセージを、順次変更する表示変更手段と
を備えており、
前記表示変更手段は、
前記複数の表示領域のうちの、任意の一の表示領域に対する所定の選択操作が行われた場合、当該表示領域に対応する一の時系列の複数の投稿メッセージを、前記表示画面の前記第１の方向に並べて表示する
ことを特徴とする表示装置。
【請求項４】
前記表示変更手段は、
前記一の時系列の複数の投稿メッセージが前記表示画面に表示されているときに、前記表示画面に対する前記第１の方向への移動操作が行われた場合、当該複数の投稿メッセージの表示位置を前記第１の方向へ移動させることにより、前記表示画面に表示する投稿メッセージを順次変更する
ことを特徴とする請求項３に記載の表示装置。
【請求項５】
前記第１の方向は前記表示画面の長手方向であり、前記第２の方向は前記表示画面の短手方向であることを特徴とする請求項１から４のいずれか一項に記載の表示装置。
【請求項６】
請求項１から５のいずれか一項に記載の表示装置を備えたことを特徴とする情報端末装置。
【請求項７】
メッセージ投稿サイトの投稿メッセージを携帯電話機またはスマートフォンの表示画面に表示する表示方法であって、
前記投稿メッセージの時系列毎の複数の表示領域を、前記表示画面の第１の方向に並べて表示するとともに、当該複数の表示領域の各々に対し、対応する時系列の前記投稿メッセージを表示するメッセージ表示工程と、
前記複数の表示領域のうちの、任意の一の表示領域に対する、前記第１の方向とは異なる方向である第２の方向への移動操作が行われた場合、当該一の表示領域に表示する投稿メッセージを、順次変更する表示変更工程と
を含んでおり、
前記メッセージ表示工程において、
前記複数の表示領域の各々に対し、対応する時系列の前記投稿メッセージを１件ずつ表示し、
前記表示変更工程において、
前記複数の表示領域のうちの、任意の一の表示領域に対する前記第２の方向への移動操作が行われた場合、当該一の表示領域に表示する投稿メッセージを、１件ずつ順次変更する
ことを特徴とする表示方法。
【請求項８】
コンピュータを請求項１から５のいずれか一項に記載の表示装置として機能させるためのプログラムであって、前記コンピュータを前記表示装置が備える前記各手段として機能させるプログラム。
【請求項９】
請求項８に記載のプログラムを記録しているコンピュータ読み取り可能な記録媒体。
【発明の詳細な説明】
【技術分野】
【０００１】
本発明は、メッセージ投稿サイトの投稿メッセージを表示画面に表示可能な表示装置および情報端末装置に関する。また、本発明は、このような表示装置および情報端末装置に用いられる表示方法、プログラム、および記録媒体に関する。
【背景技術】
【０００２】
近年、ＳＮＳ（Social Network Service）の利用が急速に高まってきており、中でも、ネットワークのユーザ同士のコミュニケーションサービスである、いわゆるメッセージ投稿サイトが多くのユーザに利用されている。
【０００３】
メッセージ投稿サイトとは、各ユーザが任意のタイミングで端末装置からメッセージを投稿し、各端末装置においては、各ユーザから投稿されたメッセージ（以下、「投稿メッセージ」と示す。）が次々とリアルタイムに表示されていくというものである。このようにメッセージ投稿サイトに対してメッセージを投稿する行為は、「つぶやき」とも称されている。
【０００４】
特に最近では、個人のみならず、企業や団体等もアカウントを取得し、情報発信ツールとしてメッセージ投稿サイトを利用するようになってきている。このようなメッセージ投稿サイトの代表的なものとしては、「Twitter」（登録商標）が挙げられる（下記非特許文献１参照）。特に、上記「Twitter」は、投稿メッセージの文字数が比較的短い文字数に制限されていることから、いわゆる「短文投稿サイト」に分類することができる。
【０００５】
一般的に、メッセージ投稿サイトに投稿されている各投稿メッセージには、その投稿日時が対応付けられている。これにより、メッセージ投稿サイトに投稿されている複数のメッセージによって、その時系列が構成されている。そして、この時系列を投稿サイトから取得した端末装置においては、この時系列に含まれている複数の投稿メッセージが、その投稿順に、表示画面の縦方向に並べて表示される（このような時系列を、上記「Twitter」では、「タイムライン」と呼んでいる）。そして、新たな投稿メッセージがメッセージ投稿サイトに投稿される毎に、上記時系列は更新され、この更新が端末装置においても即時に反映（すなわち、リアルタイム表示）されることとなる。
【０００６】
このとき、全ての投稿メッセージを表示画面に収めることができない場合は、一部の投稿メッセージ（例えば、最新のものから順にいくつかの投稿メッセージ）が表示されることとなるが、端末装置のユーザは、この時系列を縦方向にスクロールさせることにより、残りの投稿メッセージを順次表示画面に表示させて閲覧することができるようになっている。
【０００７】
特に、最近では、電子書籍端末やスマートフォン等、タッチパネルを備えた情報端末装置が普及してきており、このような情報端末装置によれば、投稿メッセージの時系列が表示されている表示画面に対して、縦方向へのフリック操作を行うことにより、その時系列を構成している複数の投稿メッセージを、表示画面の縦方向にスクロールさせて、順次表示することができるようになっている。
【先行技術文献】
【特許文献】
【０００８】
【特許文献１】特開２００６−１４５９０８号公報（２００８年７月１７日公開）
【非特許文献】
【０００９】
【非特許文献１】Twitter社、“Twitter”、[online]、Twitter社、[２０１１年１１月３０日検索]、インターネット<URL:http://twitter.com/>
【発明の概要】
【発明が解決しようとする課題】
【００１０】
ここで、上記「Twitter」では、特定のアカウント（１つのユーザアカウント、複数のユーザアカウント、または複数のユーザアカウントを含むグループアカウント等。以下、これらをまとめて「特定アカウント」と示す。）を指定することにより、その特定アカウントの投稿メッセージのみを含む時系列を、表示することが可能となっている。また、上記「Twitter」では、特定アカウントを複数指定することにより、複数の特定アカウントの各々の時系列を表示することが可能となっている。
【００１１】
但し、上記「Twitter」では、複数の時系列を同時に表示することはできない。したがって、ユーザは、複数の時系列を閲覧したい場合は、時系列のリストを表示させて、そのリストの中から任意の時系列を選択する等、比較的手間がかかる切り替え操作を行うことにより、表示画面に表示する時系列を切り替える必要がある。
【００１２】
ここで、従来、複数のコンテンツを表示画面に並べて表示し、全てのコンテンツが表示画面に収まりきらない場合であっても、表示画面をスクロールさせることにより、全てのコンテンツを閲覧可能とする技術が利用されている（例えば、上記特許文献１参照）。
【００１３】
しかしながら、この技術では、スクロール操作が必要なコンテンツ（例えば、投稿メッセージの時系列）が、複数のコンテンツ内に含まれている場合は、コンテンツのスクロールの操作と、表示画面のスクロール操作とを、それぞれ区別して行う必要が生じる。このため、各スクロール操作が複雑なものとなってしまう。そして、各スクロール操作を適切に行わないと、ユーザが意図しない操作が行われてしまうこととなる。例えば、コンテンツのスクロールの操作を行ったつもりが、表示画面のスクロール操作が行われてしまう場合があり、その反対の場合もある。
【００１４】
本発明は、上記の問題に鑑みてなされたものであり、その目的は、簡単かつ確実な操作により、メッセージ投稿サイトの投稿メッセージの複数の時系列を閲覧することが可能な表示装置を提供することにある。
【課題を解決するための手段】
【００１５】
上記した課題を解決するため、本発明に係る表示装置は、メッセージ投稿サイトの投稿メッセージを表示画面に表示可能な表示装置であって、前記投稿メッセージの時系列毎の複数の表示領域を、前記表示画面の第１の方向に並べて表示するとともに、当該複数の表示領域の各々に対し、対応する時系列の前記投稿メッセージを表示するメッセージ表示手段と、前記複数の表示領域のうちの、任意の一の表示領域に対する、前記第１の方向とは異なる方向である第２の方向への移動操作が行われた場合、当該一の表示領域に表示する投稿メッセージを、順次変更する表示変更手段とを備えることを特徴とする。
【００１６】
本発明によれば、ユーザは、複数の時系列を、同一の表示画面上で閲覧することができる。特に、時系列毎に表示領域が設けられているので、時系列が区別されていることを明確に認識することが可能となっており、ユーザは、特定アカウントの投稿メッセージを順次閲覧する際には、その表示領域から視線を移動させることなく、これを実現することができる。
【００１７】
また、本発明によれば、特定アカウントの投稿メッセージの順次閲覧は、その表示領域に対する第２の方向への移動操作という簡単かつ確実な操作により実現される。特に、当該移動操作は、その方向である第２の方向（例えば、横方向）が、複数の表示領域が並んでいる方向である第１の方向（例えば、縦方向）と異なるうえ、他の表示領域の表示内容に影響を及ぼさないので、直感的なものであるにも関わらず、より確実である。
【００１８】
また、本発明によれば、表示領域に対する第２の方向への移動操作は、他の表示領域に影響を及ぼさないから、ある表示領域の投稿メッセージを表示させたまま、他の表示領域に任意の投稿メッセージを表示させ、両者を比較することもできる。
【００１９】
上記表示装置において、前記メッセージ表示手段は、前記複数の表示領域の各々に対し、対応する時系列の前記投稿メッセージを１件ずつ表示し、前記表示変更手段は、前記複数の表示領域のうちの、任意の一の表示領域に対する前記第２の方向への移動操作が行われた場合、当該一の表示領域に表示する投稿メッセージを、１件ずつ順次変更することが好ましい。
【００２０】
この構成によれば、各表示領域には、１件ずつ投稿メッセージが表示されるので、各表示領域のサイズを最小限とすることができ、より多くの表示領域を表示画面に表示することができる。特に、複数のメッセージが第１の方向に並べて一の表示領域内に表示されていると、誤った第１の方向の移動操作（例えば、第１の方向への移動操作ではメッセージを切り替えることができないのに、メッセージを切り替えるつもりで第１の方向の移動操作を行ってしまう等）を誘発してしまうが、本発明では、一の表示領域内に１件ずつ投稿メッセージが表示されるので、このような誤った第１の方向の移動操作を誘発することもない。
【００２１】
上記表示装置において、前記表示変更手段は、前記複数の表示領域が前記表示画面に表示されているときに、前記表示画面に対する前記第１の方向への移動操作が行われた場合、当該複数の表示領域の表示位置を前記第１の方向へ移動させることにより、前記表示画面に表示する表示領域を順次変更することが好ましい。
【００２２】
この構成によれば、特定アカウントの投稿メッセージを順次閲覧するための操作と、複数の時系列を順次閲覧するための操作とが、互いに操作方向が異なるため、ユーザは、直感的かつ確実にこれらの操作を実行することができる。
【００２３】
特に、上記第１の方向の操作が、各表示領域の表示内容に影響を及ぼすことがないので、各表示領域に表示されている投稿メッセージを固定させたまま、複数の時系列を順次閲覧することができる。
【００２４】
また、ユーザは、各表示領域に対する上記第２の方向への操作を行い、各表示領域に対して任意の投稿メッセージを表示させた状態で、上記第１の方向の操作を行うことにより、複数の時系列の任意の投稿メッセージ同士を容易に比較することもできる。
【００２５】
上記表示装置において、前記表示変更手段は、前記複数の表示領域のうちの、任意の一の表示領域に対する所定の選択操作が行われた場合、当該表示領域に対応する一の時系列の複数の投稿メッセージを、前記表示画面の前記第１の方向に並べて表示することが好ましい。
【００２６】
この構成によれば、ユーザは、複数の時系列を同時に閲覧することができるだけでなく、上記所定の選択操作を行うことにより、任意の時系列のより多くの情報を容易に閲覧することができる。
【００２７】
上記表示装置において、前記表示変更手段は、前記一の時系列の複数の投稿メッセージが前記表示画面に表示されているときに、前記表示画面に対する前記第１の方向への移動操作が行われた場合、当該複数の投稿メッセージの表示位置を前記第１の方向へ移動させることにより、前記表示画面に表示する投稿メッセージを順次変更することが好ましい。
【００２８】
この構成によれば、複数の投稿メッセージが並べられている方向と、その複数の投稿メッセージが移動する方向と、この移動のための移動操作の方向とが同方向であるため、ユーザは、直感的かつ確実な操作により、容易に、複数の投稿メッセージを閲覧することができる。
【００２９】
また、本発明に係る情報端末装置は、上記表示装置を備えたことを特徴とする。
【００３０】
本発明によれば、上記表示装置と同様の効果を奏する情報端末装置を提供することができる。
【００３１】
また、本発明に係る表示方法は、メッセージ投稿サイトの投稿メッセージを表示画面に表示する表示方法であって、前記投稿メッセージの時系列毎の複数の表示領域を、前記表示画面の第１の方向に並べて表示するとともに、当該複数の表示領域の各々に対し、対応する時系列の前記投稿メッセージを表示するメッセージ表示工程と、前記複数の表示領域のうちの、任意の一の表示領域に対する、前記第１の方向とは異なる方向である第２の方向への移動操作が行われた場合、当該一の表示領域に表示する投稿メッセージを、順次変更する表示変更工程とを含むことを特徴とする。
【００３２】
本発明によれば、当該表示方法を表示装置に実行させることにより、上記表示装置と同様の効果を奏する表示装置を提供することができる。
【００３３】
また、本発明に係るプログラムは、コンピュータを上記表示装置として機能させるためのプログラムであって、上記コンピュータを上記表示装置が備える上記各手段として機能させる。
【００３４】
本発明によれば、当該プログラムをコンピュータに実行させることにより、上記表示装置と同様の効果を奏するコンピュータを提供することができる。
【００３５】
また、本発明に係る記録媒体は、上記プログラムを記録しているコンピュータ読み取り可能な記録媒体である。
【００３６】
本発明によれば、上記表示装置と同様の効果を奏することができる上記プログラムを当該記録媒体によりコンピュータに提供することができる。
【発明の効果】
【００３７】
本発明に係る表示装置、表示装置、情報端末装置、表示方法、プログラム、および記録媒体によれば、簡単かつ確実な操作により、メッセージ投稿サイトの投稿メッセージの複数の時系列を閲覧することが可能な表示装置を提供することができる。
【図面の簡単な説明】
【００３８】
【図１】実施形態に係る情報端末装置の外観を示す図である。
【図２】実施形態に係る情報端末装置の構成を示すブロック図である。
【図３】実施形態に係る情報端末装置が備える表示制御機能の構成を示すブロック図である。
【図４】実施形態に係る情報端末装置による表示処理の手順を示すフローチャートである。
【図５】実施形態に係る情報端末装置による表示処理の具体例を示す図であって、メッセージ表示部による複数の表領域の表示例を示す図である。
【図６】実施形態に係る情報端末装置による表示処理の具体例を示す図であって、横方向へのフリック操作の一例を示す図である。
【図７】実施形態に係る情報端末装置による表示処理の具体例を示す図であって、表示変更部による表示画面の表示内容の変更例を示す図である。
【図８】実施形態に係る情報端末装置による表示処理の具体例を示す図であって、縦方向へのフリック操作の一例を示す図である。
【図９】実施形態に係る情報端末装置による表示処理の具体例を示す図であって、表示変更部による表示画面の表示内容の変更例を示す図である。
【図１０】実施形態に係る情報端末装置による表示処理の具体例を示す図であって、表示変更部による表示画面の表示内容の変更例を示す図である。
【図１１】実施形態に係る情報端末装置による表示処理の具体例を示す図であって、横方向へのフリック操作の一例を示す図である。
【発明を実施するための形態】
【００３９】
以下、本発明の実施形態について、図面を用いて説明する。
【００４０】
〔実施形態〕
（情報端末装置１００の概要）
まず、本発明に係る実施形態について説明する。はじめに、図１を参照して、実施形態に係る情報端末装置１００の概要について説明する。図１は、実施形態に係る情報端末装置１００の外観を示す図である。
【００４１】
図１に示す情報端末装置１００は、各種サービスや各種アプリケーションを利用することが可能な、携帯性および可搬性を有する情報端末装置である。具体的には、情報端末装置１００は、比較的小型であり、かつリチウムイオン二次電池等のバッテリーを内蔵している。このため、情報端末装置１００は、持ち運びが容易なうえに、外部電源（ＡＣ電源）の供給を受けなくとも、バッテリー駆動により、外出先等での使用が可能となっている。
【００４２】
情報端末装置１００は、各種情報を表示するディスプレイ１１０を備えている。また、情報端末装置１００は、各種操作のためのタッチパネル１２０および操作ボタン１３０を備えている。タッチパネル１２０は、ディスプレイ１１０の表面上に重ねて設けられている。
【００４３】
これにより、情報端末装置１００は、ある表示対象のディスプレイ１１０における表示位置と、その表示対象に対するタッチパネル１２０における操作位置とを概ね一致させ、その表示対象に対する直感的な操作（選択操作や移動操作等）をユーザに行わせることが可能となっている。
【００４４】
タッチパネル１２０による可能な操作には、いわゆるフリック操作が含まれている。このフリック操作とは、指先をタッチパネル１２０に接触させたまま、その接触位置を任意の方向にスライド移動させる操作のことである。情報端末装置１００は、フリック操作が行われた場合、その接触位置や、その移動方向、その移動速度等に応じて、表示対象の表示位置をスクロールさせたり、表示内容を切り替えたりすることが可能となっている。
【００４５】
情報端末装置１００は、無線通信モジュール１４０（図２参照）をさらに備えている。これにより、情報端末装置１００は、インターネットにアクセスして、インターネット上の各種サービスを利用することが可能となっている。
【００４６】
情報端末装置１００には、各種アプリケーションがインストールされている。例えば、情報端末装置１００には、電子書籍を閲覧するためのアプリケーションがインストールされている。これにより、情報端末装置１００は、書籍データをディスプレイ１１０に表示して、この書籍データをユーザに閲覧させることができる。ユーザは、書籍データを閲覧する際、タッチパネル１２０または操作ボタン１３０により、ページめくり等の各種操作を行うことができる。
【００４７】
また、情報端末装置１００には、インターネット上の電子書籍サイトから電子書籍を購入するためのアプリケーションがインストールされている。これにより、ユーザは、この情報端末装置１００によって、電子書籍サイトから所望の書籍データを購入し、購入した書籍データをダウンロードすることが可能となっている。
【００４８】
また、情報端末装置１００には、インターネット上のメッセージ投稿サイトを利用するためのアプリケーションがインストールされている。これにより、ユーザは、この情報端末装置１００によって、メッセージ投稿サイトに対してメッセージを投稿したり、メッセージ投稿サイトに投稿された投稿メッセージを閲覧したりすることができる。
【００４９】
なお、情報端末装置１００によって電子書籍やメッセージ投稿サイトを利用する方法としては、上記した専用のアプリケーションによるものに限らず、例えば、インターネット上の特定のＷＥＢサイトにアクセスし、これによってＷＥＢブラウザで表示されるＷＥＢページから電子書籍やメッセージ投稿サイトを利用することも可能である。
【００５０】
（情報端末装置１００の構成）
次に、図２を参照して、実施形態に係る情報端末装置１００の構成について説明する。図２は、実施形態に係る情報端末装置１００の構成を示すブロック図である。
【００５１】
図２に示すように、情報端末装置１００は、処理回路１０２、記憶装置１０４、タッチパネル１２０、操作ボタン１３０、ディスプレイ駆動回路１０８、ディスプレイ１１０、および無線通信モジュール１４０を備えている。
【００５２】
（記憶装置１０４）
記憶装置１０４は、ＯＳ（Operating System）プログラムや、各種アプリケーションプログラム、各種制御プログラム、各種データ等を記憶する。例えば、記憶装置１０４には、電子書籍を閲覧するためのアプリケーションプログラム、電子書籍を購入するためのアプリケーションプログラム、メッセージ投稿サイトを利用するためのアプリケーションプログラム等が記憶されている。また、記憶装置１０４には、電子書籍サイトから購入した書籍データ等が記憶されている。
【００５３】
ここでいう記憶装置１０４には、ＨＤＤ（Hard disk drive）、ＳＳＤ（Solid State Drive）等、情報端末装置１００に内蔵されているものに限らず、メモリカード等の着脱可能なものを含む。
【００５４】
（処理回路１０２）
処理回路１０２は、ＣＰＵ等のプロセッサや、ＲＯＭ（Read Only Memory）、ＲＡＭ（Random Access Memory）等のメモリを備えて構成されており、メモリおよび記憶装置１０４に記憶されているプログラムをプロセッサが実行することにより、各種アプリケーションを実行したり、情報端末装置１００の各部を制御したりする。
【００５５】
（タッチパネル１２０および操作ボタン１３０）
タッチパネル１２０および操作ボタン１３０は、ユーザが、情報端末装置１００に対する各種操作を行うための、いわゆる入力デバイスである。タッチパネル１２０は、ディスプレイ１１０が備える表示パネルの表面上に重ねて設けられている。操作ボタン１３０は、情報端末装置１００の本体の表面に設けられている。入力デバイスとしては、これらの他にも、キー、マウス等が採用され得る。
【００５６】
（ディスプレイ駆動回路１０８およびディスプレイ１１０）
ディスプレイ駆動回路１０８は、処理回路１０２から供給された映像信号に応じてディスプレイ１１０を駆動する。ディスプレイ１１０は、処理回路１０２によって実行されたプログラムの実行結果に応じた映像を表示する。これにより、ディスプレイ１１０は、書籍データや投稿メッセージ等を表示する表示手段として機能する。本実施形態の情報端末装置１００は、ディスプレイ１１０として、液晶ディスプレイを採用しているが、これ以外にも、有機ＥＬディスプレイ等が採用され得る。
【００５７】
（無線通信モジュール１４０）
無線通信モジュール１４０は、ＬＡＮやインターネット等の通信ネットワークへの無線アクセスを制御する。例えば、情報端末装置１００は、無線通信によってインターネットに接続することにより、インターネット上のサーバや他の端末装置とのデータ通信を行うことができる。その際、インターネットへのアクセスは、無線通信モジュール１４０によって制御されることとなる。
【００５８】
（表示機能）
以下、本実施形態の情報端末装置１００が備える表示機能について具体的に説明する。ここでいう表示機能とは、メッセージ投稿サイトから取得した投稿メッセージの表示に関する表示機能を意味する。
【００５９】
まず、図３を参照して、情報端末装置１００が備える表示機能の構成について説明する。図３は、実施形態に係る情報端末装置１００が備える表示制御機能の構成を示すブロック図である。
【００６０】
図３に示すように、情報端末装置１００の処理回路１０２は、投稿メッセージの表示に関する表示機能として、メッセージ取得部３０２、メッセージ表示部３０４、および表示変更部３０８を有している。
【００６１】
（メッセージ取得部）
メッセージ取得部３０２は、インターネット上の投稿サイト（具体的には、投稿サイト用のサーバ装置）から、無線通信モジュール１４０を介して、投稿メッセージを取得する。
【００６２】
メッセージ取得部３０２は、特定アカウントの投稿メッセージのみを含む、投稿メッセージの時系列（以下、単に「時系列」と示す）を、メッセージ投稿サイトから取得することができる。
【００６３】
また、メッセージ取得部３０２は、複数の特定アカウントの各々の時系列を、メッセージ投稿サイトから取得することができる。
【００６４】
この場合、複数の特定アカウントが、複数の投稿サイトに亘るものであれば、メッセージ取得部３０２は、複数の投稿サイトの各々から、対応する特定アカウントの時系列を取得する。
【００６５】
ユーザは、特定アカウントを、情報端末装置１００から任意に設定することができる。例えば、ユーザは、投稿サイト等の各種インターネットサイトを通じて知り得た、他のユーザ、企業、団体、またはサービス等のアカウントを、特定アカウントとして設定することができる。これにより、メッセージ取得部３０２は、上記他のユーザ、企業、団体、またはサービス等の時系列を取得することができ、この結果、ユーザは、興味のある他のユーザ、企業、団体、またはサービス等から発せられた情報を、リアルタイムかつ容易に閲覧することができる。
【００６６】
また、特定アカウントは、情報端末装置１００が利用するアプリケーションから自動的に設定される場合もある。例えば、情報端末装置１００は、複数のサービスに関する情報を配信する情報提供サイト等を利用することにより、上記複数のサービスの各々のアカウントを取得することができる。これにより、メッセージ取得部３０２は、上記複数のサービスの各々の時系列を取得することができ、この結果、ユーザは、上記複数のサービスの各々から発せられた情報をリアルタイムかつ容易に閲覧することができる。
【００６７】
（メッセージ表示部）
メッセージ表示部３０４は、投稿メッセージ取得部３０２によって取得された投稿メッセージをディスプレイ１１０に表示する。投稿メッセージの表示は、情報端末装置１００にインストールされている専用のアプリケーションによって実現されてもよく、ＷＥＢブラウザで表示されるＷＥＢページによって実現されてもよい。メッセージ表示部３０４による投稿メッセージの表示方法は、以下のとおりである。
【００６８】
メッセージ表示部３０４は、ディスプレイ１１０の表示画面に対し、複数の特定アカウントの各々の時系列を同時に表示する。具体的には、ディスプレイ１１０の表示画面に対して、時系列毎の（すなわち、１アカウント１表示領域とする）複数の表示領域を縦方向に並べて表示する。例えば、メッセージ取得部３０２によって３つの時系列が取得された場合は、３つの表示領域を縦方向に並べて表示するといった具合である。
【００６９】
そして、メッセージ表示部３０４は、複数の表示領域の各々に対し、対応する時系列の投稿メッセージを１件ずつ表示する。デフォルトでは最新の投稿メッセージを１件ずつ表示することとするが、これに限らない。これにより、ディスプレイ１１０の表示画面には、複数の時系列の各々の投稿メッセージが、１件ずつ同時に表示されることとなる。
【００７０】
このように、本実施形態の情報端末装置１００は、複数のアカウントの各々の時系列を同時に表示し、かつ各々の最新の投稿メッセージを表示するため、ユーザは、複数のアカウントの各々の最新の情報を容易に閲覧することが可能となる。
【００７１】
ここで、表示対象とされた全ての表示領域が表示画面に収まらない場合、メッセージ表示部３０４は、一部の表示領域を表示画面に表示する。
【００７２】
基本的に、各表示領域のサイズは、固定であるが、メッセージ表示部３０４は、その表示領域内に表示される投稿メッセージの情報量（具体的にはその表示に要する表示面積）に応じて、各表示領域のサイズを変更することもできる。例えば、メッセージ表示部３０４は、各表示領域の横方向のサイズを固定したまま、各表示領域の縦方向のサイズを変更することもできる。
【００７３】
各表示領域のサイズを固定とした場合、メッセージ表示部３０４は、投稿メッセージの一部をその表示領域内に表示してもよく、投稿メッセージを縮小して、その表示領域内に表示してもよい。
【００７４】
なお、投稿メッセージには、画像データや音声データ等のテキストデータ以外のデータが含まれている場合がある。メッセージ表示部３０４は、テキストデータ以外のデータ（または、そのリンク）を表領域内に表示することもできる。
【００７５】
（表示変更部）
表示変更部３０８は、表示画面に投稿メッセージが表示されている場合において、タッチパネル１２０または操作ボタン１３０による何らかの操作が行われた場合、その操作内容に応じて、表示画面の表示内容を変更する。表示変更部３０８による上記表示内容の変更方法には、以下（１）〜（４）を含んでいる。
【００７６】
（１）複数の表示領域が表示画面に表示されているときに、当該複数の表示領域のうちの、任意の一の表示領域に対する横方向へのフリック操作が行われた場合、他の表示領域の表示内容を変更することなく、当該一の表示領域に表示する投稿メッセージを、その投稿順に基づいて、順次変更する。
【００７７】
例えば、一の表示領域に対する左方向へのフリック操作が行われた場合、当該表示領域に表示する投稿メッセージを、現在表示されている投稿メッセージよりも、投稿日時が新しい他の投稿メッセージに変更する。
【００７８】
反対に、一の表示領域に対する右方向へのフリック操作が行われた場合、当該表示領域に表示する投稿メッセージを、現在表示されている投稿メッセージよりも、投稿日時が古い他の投稿メッセージに変更する。
【００７９】
（２）複数の表示領域のうちの一部の表示領域が表示画面に表示されているとき（すなわち、全ての表示領域を表示画面に表示しきれなかった場合）に、表示画面に対する縦方向へのフリック操作が行われた場合、複数の表示領域の表示位置を縦方向にスクロールすることにより、表示画面に表示する表示領域を順次変更する。
【００８０】
例えば、上方向へのフリック操作が行われた場合、上記一部の表示領域を上方向にスクロールさせ、これにより、表示画面の下方に生じた空きスペースに、上記一部の表示領域よりも表示順序が後の、他の表示領域を表示する。
【００８１】
反対に、下方向へのフリック操作が行われた場合、上記一部の表示領域を下方向にスクロールさせ、これにより、表示画面の上方に生じた空きスペースに、上記一部の表示領域よりも表示順序が前の、他の表示領域を表示する。
【００８２】
（３）複数の表示領域が表示画面に表示されているときに、当該複数の表示領域のうちの、任意の一の表示領域に対する所定の選択操作が行われた場合、当該一の表示領域に対応する一の時系列の複数の投稿メッセージを、その投稿順に縦方向に並べて表示画面に表示する。
【００８３】
（４）上記（３）により、一の時系列の複数の投稿メッセージのうちの一部の投稿メッセージが表示画面に表示されているとき（すなわち、全ての投稿メッセージを表示画面に表示しきれなかった場合）に、表示画面に対する縦方向へのフリック操作が行われた場合、複数の投稿メッセージの表示位置を縦方向にスクロールすることにより、表示画面に表示する投稿メッセージを順次変更する。
【００８４】
例えば、上方向へのフリック操作が行われた場合、上記一部の投稿メッセージを上方向にスクロールさせ、これにより、表示画面の下方に生じた空きスペースに、上記一部の投稿メッセージよりも投稿順序が後の、他の投稿メッセージを表示する。
【００８５】
反対に、下方向へのフリック操作が行われた場合、上記一部の投稿メッセージを下方向にスクロールさせ、これにより、表示画面の上方に生じた空きスペースに、上記一部の投稿メッセージよりも投稿順序が前の、他の投稿メッセージを表示する。
【００８６】
（表示処理の手順）
次に、図４を参照して、実施形態に係る情報端末装置１００による表示処理の手順について説明する。図４は、実施形態に係る情報端末装置１００による表示処理の手順を示すフローチャートである。
【００８７】
（メッセージ表示）
まず、メッセージ取得部３０２が、複数の時系列の各々の投稿メッセージを、メッセージ投稿サイトから取得する（ステップ４０２）。
【００８８】
次に、メッセージ表示部３０４が、ディスプレイ１１０の表示画面に対して、時系列毎の複数の表示領域を縦方向に並べて表示する（ステップ４０４）。
【００８９】
そして、メッセージ表示部３０４が、複数の表示領域の各々に対し、対応する時系列の投稿メッセージを１件ずつ表示する（ステップ４０６）。
【００９０】
（メッセージ表示変更）
その後、タッチパネル１２０または操作ボタン１３０による何らかの操作が行われると（ステップＳ４０８）、表示変更部３０８は、その操作内容に応じて、表示画面の表示内容を変更する（ステップＳ４１０〜ステップＳ４２０）。
【００９１】
例えば、表示画面に表示されている複数の表示領域のうちの、任意の一の表示領域に対する横方向へのフリック操作が行われた場合（ステップＳ４１０：Ｙｅｓ）、表示変更部３０８は、当該一の表示領域に表示する投稿メッセージを、他の投稿メッセージに変更する（ステップＳ４１２）。その後、情報端末装置１００は、処理をステップＳ４０８へ戻す。
【００９２】
また、表示画面に表示されている複数の表示領域に対する縦方向へのフリック操作が行われた場合（ステップＳ４１４：Ｙｅｓ）、表示変更部３０８は、各表示領域を縦方向にスクロールさせるとともに（ステップＳ４１６）、他の表示領域を表示画面に表示する（ステップＳ４１８）。その後、情報端末装置１００は、処理をステップＳ４０８へ戻す。
【００９３】
また、表示画面に表示されている複数の表示領域のうちの、任意の一の表示領域に対する所定の選択操作が行われた場合（ステップＳ４２０）、表示変更部３０８は、当該一の表示領域に対応する時系列の複数の投稿メッセージを、その投稿順に縦方向に並べて表示画面に表示する（ステップＳ４２２）。
【００９４】
その後、さらに、表示画面に表示されている複数の投稿メッセージに対する縦方向へのフリック操作が行われた場合（ステップＳ４２４：Ｙｅｓ）、表示変更部３０８は、各投稿メッセージを縦方向にスクロールさせるとともに（ステップＳ４２６）、他の投稿メッセージを表示画面に表示する（ステップＳ４２８）。その後、情報端末装置１００は、処理をステップＳ４２４へ戻す。
【００９５】
（表示処理の具体例）
次に、図５〜図１０を参照して、情報端末装置１００による表示処理の具体例について説明する。
【００９６】
（初期表示）
図５は、実施形態に係る情報端末装置１００による表示処理の具体例を示す図であって、メッセージ表示部３０４による複数の表領域の表示例を示す図である。
【００９７】
図５に示す例では、ディスプレイ１１０の表示画面には、表示領域５０２、表示領域５０４、および表示領域５０６が、縦方向に並べて表示されている。
【００９８】
表示領域５０２は、アプリケーション「Ａアプリ」に割り当てられたアカウントの時系列を表示するためのものである。表示領域５０４は、アプリケーション「Ｂアプリ」に割り当てられたアカウントの時系列を表示するためのものである。表示領域５０６は、アプリケーション「Ｃアプリ」に割り当てられたアカウントの時系列を表示するためのものである。
【００９９】
図５以降では、各表示領域に対して、対応するアプリケーションのタイトルを表示する例を示しているが、特定のメッセージ投稿サービスの特定のアカウントに関する情報であれば、どのような情報を表示してもよい。例えば、アプリケーションのタイトルに代えてまたは加えて、メッセージの投稿サービスの名称、アカウントの名称、このアカウントを使用するサービス名、このアカウントを使用する会社名等を表示してもよい。
【０１００】
各表示領域には、対応するアプリケーションのタイトル（図中ａを付与）およびプロフィール画像（図中ｂを付与）と、対応するアカウントの時系列のうちの最新の１件の投稿メッセージ（図中ｃを付与）とが表示されている。さらに、各表示領域には、「＜」ボタン（図中ｄを付与）、「＞」ボタン（図中ｅを付与）、および「もっと見る」ボタン（図中ｆを付与）が表示されている。
【０１０１】
例えば、上記表示画面は、ある情報配信サービスを利用したときに、表示されるものであり、上記各アカウントは、この情報配信サービスの利用時に、このサービスの提供元から一括して取得されるものである。
【０１０２】
ここでいう情報配信サービスは、情報端末装置１００にインストールされている専用のアプリケーションによって実現されるものであってもよく、ＷＥＢブラウザで表示されるＷＥＢページによって実現されるものであってもよい。
【０１０３】
図５では、各表示領域のサイズを等しくしているが、各表示領域のサイズが異なっていてもよい。例えば、各表示領域のサイズ（特に、縦方向のサイズ）は、その表示領域に表示される投稿メッセージの情報量に応じて、自動的に調整されるものであってもよい。
【０１０４】
この場合、各表示領域のサイズは、投稿メッセージに含まれる全ての情報が表示されるように調整されてもよい。また、各表示領域のサイズは、予め定められた閾値を超えないように制限されてもよい。
【０１０５】
また、各表示領域のサイズは、ユーザ操作によって変更可能であってもよい。例えば、当初は、表示領域のサイズを比較的小さくすることにより、投稿メッセージの一部の情報（例えば、１０行分）を表示しておき、ユーザがその表示領域に対する拡大操作を行った場合、その表示領域のサイズを拡大することにより、投稿メッセージの全ての情報を表示してもよい。
【０１０６】
なお、このように複数の時系列が表示されているときに、少なくとも一つの時系列に対して新たなメッセージが投稿され、その時系列が更新される場合がある。情報端末装置１００は、この時系列の更新を、直ちに反映してもよく、直ちに反映せずに、所定の更新条件（例えば、所定の更新ボタンが押下されたとき、改めて図５に示すような表示を行ったとき、図１０に示すような表示を行ったとき、等）を満たしたときに、反映するようにしてもよい。
【０１０７】
（横方向へのフリック操作時）
図６および図１１は、実施形態に係る情報端末装置１００による表示処理の具体例を示す図であって、横方向へのフリック操作の一例を示す図である。図７は、実施形態に係る情報端末装置１００による表示処理の具体例を示す図であって、表示変更部３０８による表示画面の表示内容の変更例を示す図である。
【０１０８】
既に説明したとおり、本実施形態の情報端末装置１００は、表示画面に表示されている複数の表示領域のうちの、任意の一の表示領域に対する横方向へのフリック操作が行われた場合、当該一の表示領域に表示する投稿メッセージを、他の投稿メッセージに変更する。
【０１０９】
例えば、図６に示すように、図５に示した表示領域５０２，５０４，５０６のうちの、表示領域５０４に対する左方向へのフリック操作が行われた場合、情報端末装置１００は、当該表示領域５０４に表示する投稿メッセージを、現在表示されている投稿メッセージよりも、投稿日時が新しい他の投稿メッセージに変更する。
【０１１０】
これにより、図７に示すように、表示領域５０４には、上記新しい他の投稿メッセージが表示されるが、表示領域５０２，５０６は、いずれも上記フリック操作を行う前のままの状態であり、表示されている投稿メッセージに変更はない。
【０１１１】
なお、図６に示す例では、表示領域に対する横フリック操作により、その表示領域全体が横方向にスクロールすることにより、投稿メッセージが切り替わる例を示しているが、例えば、図１１に示すように、横フリック操作により、単に投稿メッセージの内容が切り替わるだけであってもよい。
【０１１２】
（縦方向へのフリック操作時）
図８は、実施形態に係る情報端末装置１００による表示処理の具体例を示す図であって、縦方向へのフリック操作の一例を示す図である。図９は、実施形態に係る情報端末装置１００による表示処理の具体例を示す図であって、表示変更部３０８による表示画面の表示内容の変更例を示す図である。
【０１１３】
既に説明したとおり、本実施形態の情報端末装置１００は、表示画面に表示されている複数の表示領域に対する縦方向へのフリック操作が行われた場合、各表示領域を縦方向にスクロールさせるとともに、他の表示領域を表示画面に表示する。
【０１１４】
例えば、図８に示すように、図７に示した表示領域５０２，５０４，５０６に対する上方向へのフリック操作が行われた場合、情報端末装置１００は、表示領域５０２，５０４，５０６を上方向にスクロールさせる。これにより、図８に示すように、表示領域５０２が表示画面の上方からスクロールアウトされると、代わりに、表示領域５０８が表示画面の下方からスクロールインされる。これにより、表示画面は、図９に示すように、表示領域５０４，５０６，５０８が表示された状態となる。
【０１１５】
（所定の選択操作時）
図１０は、実施形態に係る情報端末装置１００による表示処理の具体例を示す図であって、表示変更部３０８による表示画面の表示内容の変更例を示す図である。
【０１１６】
既に説明したとおり、本実施形態の情報端末装置１００は、表示画面に表示されている複数の表示領域のうちの、任意の一の表示領域に対する所定の選択操作が行われた場合、当該表示領域に対応する一の時系列の複数の投稿メッセージを、その投稿順に縦方向に並べて表示画面に表示する。本実施形態では、各表示領域に表示されている「もっと見る」ボタンを選択する操作が、上記所定の選択操作として設定されている。
【０１１７】
さらに、本実施形態の情報端末装置１００は、一の時系列の複数の投稿メッセージが表示画面に表示されているときに、当該表示画面に対する縦方向へのフリック操作が行われた場合、当該複数の投稿メッセージを縦方向へスクロールさせることにより、当該表示画面に表示する投稿メッセージを順次変更する。
【０１１８】
例えば、図９に示した表示領域５０４に対して、「もっと見る」ボタンを選択する操作が行われた場合、情報端末装置１００は、図１０に示すように、当該表示領域５０４に対応する一の時系列（すなわち、アプリケーション「Ｂアプリ」の投稿メッセージのみを含む時系列）の複数の投稿メッセージを、その投稿順に縦方向に並べて表示画面に表示する。
【０１１９】
さらに、ディスプレイ１２０の表示画面に対して、上方向へのフリック操作が行われた場合、情報端末装置１００は、アプリケーション「Ｂアプリ」の複数の投稿メッセージを上方向へスクロールさせることにより、ディスプレイ１２０の表示画面に対して、アプリケーション「Ｂアプリ」の新しい投稿メッセージを順次表示する。
【０１２０】
反対に、ディスプレイ１２０の表示画面に対して、下方向へのフリック操作が行われた場合、情報端末装置１００は、アプリケーション「Ｂアプリ」の複数の投稿メッセージを下方向へスクロールさせることにより、ディスプレイ１２０の表示画面に対して、アプリケーション「Ｂアプリ」の古い投稿メッセージを順次表示する。
【０１２１】
このように、本実施形態の情報端末装置１００によれば、ユーザは、表示画面に表示された複数の表示領域によって、複数の時系列を同時に閲覧することができる。
【０１２２】
特に、ユーザは、任意の特定アカウントの投稿メッセージを順次閲覧したい場合には、その表示領域から視線を移動させることなく、その表示領域に対する横方向へのフリック操作という簡単かつ確実な操作を行うだけで、これを実現することができる。
【０１２３】
また、複数の時系列の全てが表示画面に収まりきらない場合であっても、ユーザは、表示画面に対する縦方向へのフリック操作という簡単かつ確実な操作により複数の時系列を順次閲覧することができる。
【０１２４】
特に、特定アカウントの投稿メッセージを順次閲覧するためのフリック操作と、複数の時系列を順次閲覧するためのフリック操作とは、互いに操作方向が異なるため、ユーザは、直感的かつ確実にこれらの操作を実行することができる。
【０１２５】
また、ユーザは、特定の時系列の複数のメッセージを同時に閲覧したい場合には、その時系列の表示領域に対する所定の選択操作（「もっと見る」ボタンを選択する操作）を行うだけで、これを実現することができる。
【０１２６】
（変形例）
実施形態では、複数の時系列を並べて表示する方向（第１の方向）を縦方向とし、任意の時系列に対する投稿メッセージの表示切替操作の方向（第２の方向）を横方向とした。
【０１２７】
本発明は、少なくとも、上記第１の方向と上記第２の方向とが互いに異なる方向であればよく（好適な例は、上記第１の方向と上記第２の方向とが互いに直交することである）、上記第１の方向および上記第２の方向を含む各表示方向や各操作方向を、実施形態と異ならせて実施することも可能である。
【０１２８】
例えば、実施形態において、「縦方向」とした各表示方向および各操作方向を「横方向」に変更し、実施形態において、「横方向」とした各表示方向および各操作方向を「縦方向」に変更して、実施することも可能である。
【０１２９】
この場合、例えば、複数の時系列は、表示画面の横方向に並べて表示される。また、任意の時系列に対して投稿メッセージの表示を切り替える場合は、その表示領域に対する縦方向へのフリック操作により実現される。また、表示画面に表示される表示領域を切り替える場合は、表示画面に対する横方向へのフリック操作により実現される。
【０１３０】
（プログラム、記憶媒体）
実施形態で説明した情報端末装置１００の各機能は、集積回路（ＩＣチップ）上に形成された論理回路によってハードウェア的に実現してもよいし、ＣＰＵ（Central Processing Unit）を用いてソフトウェア的に実現してもよい。
【０１３１】
例えば、情報端末装置１００は、各機能を実現するプログラムの命令を実行するＣＰＵ、上記プログラムを格納したＲＯＭ、上記プログラムを展開するＲＡＭ、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、情報端末装置１００の各機能を実現することができる。
【０１３２】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０１３３】
なお、上記プログラムは、通信ネットワークを介して情報端末装置１００に供給されてもよい。この通信ネットワークは、少なくとも上記プログラムを情報端末装置１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１３４】
また、上記プログラムを情報端末装置１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１３５】
（補足事項）
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。
【０１３６】
（本発明の適用対象）
実施形態では、本発明を情報端末装置に適用した例を説明した。本発明は、少なくともメッセージ投稿サイトの投稿メッセージを表示することができるものであれば、どのような装置にも適用することができる。例えば、携帯電話機、スマートフォン、ＰＤＡ、パーソナルコンピュータ、カーナビゲーション装置、テレビジョン受像機等にも、本発明を適用することができる。
【０１３７】
（フリック操作について）
実施形態において、横方向への移動操作および縦方向への移動操作の一例として、横方向へのフリック操作および縦方向へのフリック操作を用いたが、情報端末装置１００は、これらフリック操作の代わりに、これらフリック操作と同等の操作（ボタン操作等）が行われた場合にも、これらフリック操作が行われたときと同様に動作するように構成してもよい。
【０１３８】
例えば、上下方向への操作（例えば、マウス、コントロールホイール、またはトラックボール等による上下方向の移動操作、上下ボタン（ハードウェア的なボタンおよびソフトウェア的なボタンを含む）の押下等）が行われた場合、縦方向へのフリック操作が行われたときと同様に動作するように構成してもよい。
【０１３９】
また、任意の表示領域を選択した後の左右方向への操作（例えば、マウス、コントロールホイール、またはトラックボール等による左右方向の移動操作、左右ボタン（ハードウェア的なボタンおよびソフトウェア的なボタンを含む）の押下等）が行われた場合、その表示領域に対する横方向へのフリック操作が行われたときと同様に動作するように構成してもよい。
【０１４０】
（投稿メッセージの表示単位について）
実施形態では、表示領域内における投稿メッセージの表示単位およびその表示の切り替え単位を１件毎としたが、２件以上毎であってもよい。
【産業上の利用可能性】
【０１４１】
本発明は、情報端末装置、携帯電話機、スマートフォン、ＰＤＡ、パーソナルコンピュータ等、メッセージ投稿サイトの投稿メッセージを表示することが可能な各種表示装置に適用することができる。
【符号の説明】
【０１４２】
１００  情報端末装置（表示装置）
１０２  処理回路
１０４  記憶装置
１０８  ディスプレイ駆動回路
１１０  ディスプレイ
１２０  タッチパネル
１３０  操作ボタン
１４０  無線通信モジュール
３０２  メッセージ取得部
３０４  メッセージ表示部（メッセージ表示手段）
３０８  表示変更部（表示変更手段）
【図１】
0005907713.tif 000002
【図２】
0005907713.tif 000003
【図３】
0005907713.tif 000004
【図４】
0005907713.tif 000005
【図５】
0005907713.tif 000006
【図６】
0005907713.tif 000007
【図７】
0005907713.tif 000008
【図８】
0005907713.tif 000009
【図９】
0005907713.tif 000010
【図１０】
0005907713.tif 000011
【図１１】
0005907713.tif 000012